(57)【要約】【課題】本発明は、端子ピンの周面に形成された溝を用いてマグネットワイヤを巻き付けることにより、重なりをなくすことを目的とする。【解決手段】本発明による端子ピン接続構造及び方法は、端子ピン(2)の周面(2a)に形成した溝(5)内にマグネットワイヤ(3)の巻き始め始端(3a)を係合させた後に、マグネットワイヤ(3)が端子ピン(2)の周面(2a)に巻き付けられている構成である。【選択図】図１
2011129313.tif 000002
【特許請求の範囲】
【請求項１】
保持部材(1)に保持された端子ピン(2)にマグネットワイヤ(3)を巻き付け、前記端子ピン(2)の上部(2b)とマグネットワイヤ(3)の巻き始め部分(3A)を溶接で接続するようにした端子ピン接続構造において、
前記端子ピン(2)の周面(2a)に形成された溝(5)内に前記マグネットワイヤ(3)の巻き始め始端(3a)を係合させた後に、前記マグネットワイヤ(3)が前記端子ピン(2)の周面(2a)に巻き付けられていることを特徴とする端子ピン接続構造。
【請求項２】
前記溝(5)は、前記端子ピン(2)の長手方向(X)と交差する方向に形成されていることを特徴とする請求項１記載の端子ピン接続構造。
【請求項３】
前記端子ピン(2)に巻き付けられる前記巻き始め部分(3A)における前記マグネットワイヤ(3)は、互いに重なることなく巻き付けられていることを特徴とする請求項１又は２記載の端子ピン接続構造。
【請求項４】
保持部材(1)に保持された端子ピン(2)にマグネットワイヤ(3)を巻き付け、前記端子ピン(2)の上部(2b)とマグネットワイヤ(3)の巻き始め部分(3A)を溶接で接続するようにした端子ピン接続方法において、
前記端子ピン(2)の周面(2a)に形成された溝(5)内に前記マグネットワイヤ(3)の巻き始め始端(3a)を係合させた後に、前記マグネットワイヤ(3)が前記端子ピン(2)の周面(2a)に巻き付けられていることを特徴とする端子ピン接続方法。
【請求項５】
前記溝(5)は、前記端子ピン(2)の長手方向(X)と交差する方向に形成されていることを特徴とする請求項４記載の端子ピン接続方法。
【請求項６】
前記端子ピン(2)に巻き付けられる前記巻き始め部分(3A)における前記マグネットワイヤ(3)は、互いに重なることなく巻き付けられていることを特徴とする請求項４又は５記載の端子ピン接続方法。
【発明の詳細な説明】
【技術分野】
【０００１】
本発明は、端子ピン接続構造及び方法に関し、特に、端子ピンの周面に形成された溝を用いてマグネットワイヤを巻き付け、巻き始め部分のワイヤの重合をなくすための新規な改良に関する。
【背景技術】
【０００２】
従来、用いられていたこの種のレゾルバ等の端子ピンへのマグネットワイヤの巻き付け構造としては、例えば、特許文献１に開示されている回転検出器における端子ピンのように、端子ピンの外周にマグネットワイヤを巻き付け、その巻き付けの具体的構造としては図３に示されるように構成されていた。
【０００３】
図３において、符号１で示されるものは、回転検出器等に設けられた板等からなる保持部材であり、この保持部材１に埋め込み又はインサート成形等で設けられた端子ピン２の周面２ａには、マグネットワイヤ３が巻き付けられている。
【０００４】
前記周面２ａに巻き付けられるマグネットワイヤ３は、図３の（Ｂ）で示されるように、端子ピン２の上部２ｂに図示しない巻線機のニードルを位置させ、巻き始め始端３ａを周面２ａに接触させて一気に上方へ巻き付け、数回の巻き付けが終了すると、その上端部３ｂを一気に下方へ降下させて降下部３ｃを形成する。
【０００５】
前記降下部３ｃは、前記上部２ｂに巻き付けられた巻き始め始端３ａ及び巻き付け上部３ｄを外側から抑えるように二重巻き状となり、その後、数回、端子ピン２の下部２ｃを巻回して図示しない磁極側への巻き付けが行われる。
その後、上部の巻き始め部分３ＡをＴＩＧ溶接等により溶接すると、（Ｃ）に示される球状の溶接部４が形成されて接続する。
【先行技術文献】
【特許文献】
【０００６】
【特許文献１】米国特許第６７２４１０９号明細書
【発明の概要】
【発明が解決しようとする課題】
【０００７】
従来の端子ピンへの巻き付け構造は、以上のように構成されていたため、次のような課題が存在していた。
すなわち、巻線機のニードルを用いて端子ピンにマグネットワイヤを巻き付ける場合、マグネットワイヤの先端を端子ピンに係止することができないため、図３の（Ｂ）に示されるように、マグネットワイヤの巻き始め部分が二重状となり、この二重状の状態で溶接部を形成するため、溶接を円滑に行うことが困難であった。
また、図３の（Ｂ）に示されるように、マグネットワイヤの先端を巻き付けた後に、端子ピンの上部から降下させるマグネットワイヤの降下部によって、その先端の巻き始め始端を外側から抑えて固定しなければならず、巻線機のニードルの動作が複雑となり、巻線時間の短縮化及び歩留まりの向上が困難であった。
【課題を解決するための手段】
【０００８】
本発明による端子ピン接続構造は、保持部材に保持された端子ピンにマグネットワイヤを巻き付け、前記端子ピンの上部とマグネットワイヤの巻き始め部分を溶接で接続するようにした端子ピン接続構造において、前記端子ピンの周面に形成された溝内に前記マグネットワイヤの巻き始め始端を係合させた後に、前記マグネットワイヤが前記端子ピンの周面に巻き付けられている構成であり、また、前記溝は、前記端子ピンの長手方向と交差する方向に形成されている構成であり、また、前記端子ピンに巻き付けられる前記巻き始め部分における前記マグネットワイヤは、互いに重なることなく巻き付けられている構成であり、また、本発明による端子ピン接続方法は、保持部材に保持された端子ピンにマグネットワイヤを巻き付け、前記端子ピンの上部とマグネットワイヤの巻き始め部分を溶接で接続するようにした端子ピン接続方法において、前記端子ピンの周面に形成された溝内に前記マグネットワイヤの巻き始め始端を係合させた後に、前記マグネットワイヤが前記端子ピンの周面に巻き付けられている方法であり、また、前記溝は、前記端子ピンの長手方向と交差する方向に形成されている方法であり、また、前記端子ピンに巻き付けられる前記巻き始め部分における前記マグネットワイヤは、互いに重なることなく巻き付けられている方法である。
【発明の効果】
【０００９】
本発明による端子ピン接続構造及び方法は、以上のように構成されているため、次のような効果を得ることができる。
すなわち、保持部材に保持された端子ピンにマグネットワイヤを巻き付け、前記端子ピンの上部とマグネットワイヤの巻き始め部分を溶接で接続するようにした端子ピン接続構造において、前記端子ピンの周面に形成された溝内に前記マグネットワイヤの巻き始め始端を係合させた後に、前記マグネットワイヤが前記端子ピンの周面に巻き付けられていることにより、従来のように重ね巻きをする必要がなくなり、巻線作業が極めて容易となり、巻線速度の向上、歩留まりの向上を得ることができる。
また、前記溝は、前記端子ピンの長手方向と交差する方向に形成されていることにより、マグネットワイヤの先端の係合及び係止を確実に行うことができる。
また、前記端子ピンに巻き付けられる前記巻き始め部分における前記マグネットワイヤは、互いに重なることなく巻き付けられていることにより、前述のように、端子ピンに対する巻付け速度を従来よりも大幅に向上させることができる。
【図面の簡単な説明】
【００１０】
【図１】本発明による端子ピン接続構造及び方法を示すための工程図である。
【図２】図１の端子ピンの巻線前の拡大図である。
【図３】従来の端子ピン接続構造及び方法を示す工程図である。
【発明を実施するための形態】
【００１１】
本発明は、端子ピンの周面に形成された溝を用いてマグネットワイヤを巻き付け、巻き始め部分のワイヤの重合をなくすようにした端子ピン接続構造及び方法を提供することを目的とする。
【実施例】
【００１２】
以下、図面と共に本発明による端子ピン接続構造及び方法の好適な実施の形態について説明する。
尚、従来例と同一又は同等部分については、同一符号を用いて説明する。
図１において、符号１で示されるものは、回転検出器等に設けられた板等からなる保持部材であり、この保持部材１に埋め込み又はインサート成形等で設けられた端子ピン２の周面２ａには、マグネットワイヤ（ステータコイル）３が巻き付けられている。
【００１３】
前記周面２ａに巻付けられるマグネットワイヤ３は、図２に特に示されるように、その巻き始め始端３ａが前記周面２ａに形成された溝５内に係合されて係止され、その後、ニードル（図示せず）が端子ピン２の周面２ａを回ることにより、所定のピッチ又は整列巻きでマグネットワイヤ３の巻き付けが行われる。尚、この巻き始め始端３ａは、ニードルの動作により、溝５内に挿入される。
【００１４】
前述のマグネットワイヤ３の巻き付けにより、端子ピン２の上部２ｂに巻き始め部分３Ａが形成され、この巻き始め部分３Ａから下方へ向けて巻き付けられたマグネットワイヤ３の巻き終わり部分３Ｂにわたっては従来の図３のような重なり合う重合部分を伴うことなく、全体を巻き付けることができる。
従って、前述のように、巻き始め部分３Ａは、端子ピン２の全長にわたり、重合部分のない巻き終わり部分３Ｂと同様の円滑な巻付けを行うことができる。
【００１５】
次に、図１の（Ｂ）のように、マグネットワイヤ３の巻き付けが完了した後は、（Ｃ）に示されるように、ＴＩＧ溶接等によって端子ピン２の上部２ｂと巻き始め部分３Ａを加熱することにより、溶融して球状の溶接部４が形成され、端子ピン２とマグネットワイヤ３とは互いに一体状に接続される。
【００１６】
尚、前述の端子ピン２の周面２ａに形成された溝５は、端子ピン２の長手方向Ｘと交差する方向に形成され、図１のように、直交する方向、非直交方向の何れでも可能である。
また、溝５の溝幅５Ａは、マグネットワイヤ３の直径とほぼ同一又はやや大径で、図示しないニードルによって、溝５内にマグネットワイヤ３が挿入されて係合しやすく、その結果、溝５内に係止されるように構成されている。
また、前記端子ピン２の形状は、丸ピン、角ピン、楕円ピンの何れであっても可能である。
【産業上の利用可能性】
【００１７】
本発明による端子ピン接続構造は、回転検出器に限らず、モータ、アクチュエータ等のステータ巻線を用いる全ての機器に適用することができる。
【符号の説明】
【００１８】
１    保持部材
２    端子ピン
２ａ    周面
２ｂ    上部
３    マグネットワイヤ
３ａ    巻き始め始端
３Ａ    巻き始め部分
３Ｂ    巻き終り部分
４    溶接部
５    溝
５Ａ    溝幅
【図１】
2011129313.tif 000003
【図２】
2011129313.tif 000004
【図３】
2011129313.tif 000005